(57)【要約】【課題】火災報知器のコントロールパネルの信号線に対する雷サージの侵入などを一括して集中監視し得るアレスタ装置を提供する。【解決手段】複数個の避雷素子１を配線基板２上に配列させて実装し、その配列方向に沿うように形成した長孔状の窓部３を有するケース４内に前記配線基板２上の避雷素子１を収容し、前記避雷素子１のそれぞれの表面に素子温度表示手段としてラベル状示温材１３を付設して前記ケース４の窓部３を通して目視可能とする。【選択図】    図１
2004335868.tif 000002
【特許請求の範囲】
【請求項１】
複数個の避雷素子を配線基板上に配列させて実装し、その配列方向に沿うように形成した窓部を有するケース内に前記配線基板上の避雷素子を収容し、前記避雷素子のそれぞれの表面に素子温度表示手段を付設して前記ケースの窓部を通して目視可能としたことを特徴とするアレスタ装置。
【請求項２】
前記避雷素子は、配線基板の一面側に互いに平行となるように配列され、前記窓部は、前記避雷素子の配列方向に沿う長孔状を有する請求項１に記載のアレスタ装置。
【請求項３】
前記避雷素子は、円板状または方形板状の素子本体を有するバリスタである請求項１又は２に記載のアレスタ装置。
【請求項４】
前記素子温度表示手段は、前記避雷素子の周縁部分に貼着したラベル状示温材である請求項１乃至３のいずれかに記載のアレスタ装置。
【請求項５】
前記窓部に、紫外線を遮断して可視光を透過する材質からなる透光性部材を配設した請求項１乃至４のいずれかに記載のアレスタ装置。
【請求項６】
前記窓部の周縁に沿った部分に、前記避雷素子から導出されたリード線を避雷素子ごとに識別するマークを付設した請求項１乃至５のいずれかに記載のアレスタ装置。
【請求項７】
前記配線基板から導出されたリード線は、多数の信号線が接続された情報処理装置の端子部に接続される請求項１乃至６のいずれかに記載のアレスタ装置。
【請求項８】
前記情報処理装置は、火災報知機のコントロールパネルである請求項７に記載のアレスタ装置。
【発明の詳細な説明】
【０００１】
【発明の属する技術分野】
本発明はアレスタ装置に関し、詳しくは、多数の信号線が接続された情報処理装置を雷サージ等から保護して誤動作や破損を防止するアレスタ装置に関する。
【０００２】
【従来の技術】
例えば、オフィスや工場等において、コンピュータ、電話交換装置、各種制御監視機器などの情報処理装置では、これら装置を雷サージ等から保護するためにアレスタ装置を設置するのが一般的である。
【０００３】
例えば火災報知器は、一般的に、センサ類が接続された多数の信号線を導出したコントロールパネルを備えているが、落雷があると、そのコントロールパネルの電源ラインからだけでなく、多数の信号線からも雷サージが侵入してくることがある。そのため、コントロールパネルの電源ラインだけでなく、センサ類の各信号線にもアレスタ装置を設置しているというのが現状であった（例えば特許文献１参照）。
【０００４】
このように火災報知器のコントロールパネルの信号線にアレスタ装置を設置することにより、落雷があっても、それによる高電圧または大電流のサージをアレスタ装置で吸収することで、火災報知器の誤動作や破損を未然に防止するようにしている。
【０００５】
【特許文献１】
特開平１０−１１７４０９号公報
【０００６】
【発明が解決しようとする課題】
ところで、前述したように火災報知器のコントロールパネルから導出した信号線のそれぞれにアレスタ装置を設置する場合、１ラインまたは２ラインに１個のアレスタ装置を設置することから、すべての信号線にアレスタ装置を個別に設置していると、その設置スペースが大きくならざるを得ない。
【０００７】
また、前述のアレスタ装置は、信号線のそれぞれに挿入接続しなければならないことから、その使用に際して作業性が悪く、また、設備コストが大幅にアップするという問題があった。
【０００８】
そこで、本発明は前記問題点に鑑みて提案されたもので、その目的とするところは、火災報知器などの信号処理装置の信号線それぞれに配された避雷素子のうち、信号線に侵入したサージによって特性劣化を生じた素子を容易に識別し得るアレスタ装置を提供することにある。
【０００９】
【課題を解決するための手段】
前述した目的を達成するための技術的手段として、本発明は、複数個の避雷素子を配線基板上に配列させて実装し、その配列方向に沿うように形成した窓部を有するケース内に前記配線基板上の避雷素子を収容し、前記避雷素子のそれぞれの表面に素子温度表示手段を付設して前記ケースの窓部を通して目視可能としたことを特徴とする。なお、前記避雷素子は、配線基板の一面側に互いに平行となるように配列され、前記窓部は、前記避雷素子の配列方向に沿う長孔状を有することが望ましい。
【００１０】
本発明のアレスタ装置は、火災報知機のコントロールパネルなどの情報処理装置における各種信号を伝送する信号線にサージが侵入し、それによって特性劣化を生じた避雷素子の有無を一括して集中監視することができる。また、このアレスタ装置では、ケースの窓部を通して素子温度表示手段を目視することにより、サージの侵入によりいずれの避雷素子が劣化したかをきわめて容易に判別することができる。
【００１１】
前記避雷素子は、円板状または方形板状の素子本体を有するバリスタであることが、ケース内で配列させて収容する上で望ましい。また、前記素子温度表示手段としては、避雷素子の周縁部分に貼着したラベル状示温材が簡便な手段として好適である。さらに、前記窓部に、紫外線を遮断して可視光を透過する材質からなる透光性部材を配設すれば、外光に含まれる紫外線によりラベル状示温材が変色することを未然に防止できる点で望ましい。また、前記窓部の周縁に沿った部分に、避雷素子から導出されたリード線を避雷素子ごとに識別するマークを付設すれば、避雷素子とリード線との対応関係が容易に把握できる点で好適である。
【００１２】
【発明の実施の形態】
本発明に係るアレスタ装置の実施形態を以下に詳述する。以下の実施形態は、火災報知器のコントロールパネルに付設する場合について説明するが、火災報知器以外の他の情報処理装置、つまり、センサ類などが接続されて遠方まで延びる多数の信号線を持つ制御機器や、多数の端末と信号線で接続された情報処理装置に対して適用可能である。
【００１３】
図１は実施形態のアレスタ装置を示す平面図、図２は図１の正面図、図３は図１のＡ−Ａ線に沿う断面図、図４は図１乃至図３のアレスタ装置の組立分解斜視図、図５は組立完了斜視図である。
【００１４】
同図に示す実施形態のアレスタ装置１０は、複数個の避雷素子１（バリスタ）を配線基板２上に配列させ、その配列方向に沿うように形成された長孔状の窓部３を有するケース４に、前記避雷素子１を実装した配線基板２を取り付け、このケース４内に避雷素子１を収容した構造を具備する。配線基板２に実装された避雷素子１の数は、火災報知器５のコントロールパネル６から導出された信号線７の数と一致する（図６参照）。
【００１５】
避雷素子１は、例えば円板状の素子本体を有し、同一方向に二本のリード線１ａ，１ｂを導出したディスク型バリスタを例示しているが、方形板状などの他の形状の避雷素子であっても搭載可能である。
【００１６】
これら複数個の避雷素子１は、配線基板２の一面側に互いに平行となるように配列され、それぞれの二本のリード線１ａ，１ｂを配線基板２に形成されたスルーホールを利用して配線基板２の他面側で半田付けにより固定する。これにより、避雷素子１は、配線基板２上で起立した状態に保持される。
【００１７】
各避雷素子１の一方のリード線１ａは、配線基板２の導電パターン８に共通してアース接続され、他方のリード線１ｂは、このアレスタ装置１０から導出されて火災報知器５のコントロールパネル６の信号線用端子部９（図６参照）に接続されるリード線１１に半田付けにより接続される。
【００１８】
これら避雷素子１が実装された配線基板２が収容されるケース４は、例えば難燃性エポキシ樹脂を箱型に成形したもので、底部が開口した形状を有する。このケース４の開口部から前述した避雷素子１をケース４に入れ、その開口部に配線基板２をネジ止め等の手段で取り付ける。
【００１９】
なお、ケース４の長手方向両側から突出した配線基板２の両端部には、取付孔１２が設けられており、この取付孔１２によりアレスタ装置１０を所定の箇所にネジ止め固定するようにしている。また、この配線基板２の取付孔周囲まで、避雷素子１の一方のリード線１ａが電気的に接続された導電パターン８が延設されており、アレスタ装置１０の取り付けと共に、アース接続が可能となっている。
【００２０】
また、配線基板２の他面側に避雷素子１のリード線１ａ，１ｂを半田付けした部分が若干突出するため、絶縁性合成樹脂からなる板状絶縁部材（図示せず）を貼着したり、あるいは配線基板２の他面側のリード線１ａ，１ｂの半田付け部分が突出しない大きさを有するケースにその配線基板２を格納したりすることが望ましい。
【００２１】
ケース４の天板部には、避雷素子１の配列方向に沿って長孔状の窓部３が開口形成されている。この窓部３を通して目視できる避雷素子１の周縁部分には、ラベル状示温材１３が貼着されている。このラベル状示温材１３は、雷サージにより大電流が流れて避雷素子１の温度が設定温度に達することで変色する非可逆性のものであり、例えば、日油技研工業（株）製の「サーモラベル（登録商標）」を使用することが好ましい。
【００２２】
避雷素子１の表面に付す素子温度表示手段としては、前述したラベル状示温材１３以外に、温度によって発色が変化する塗料を塗布してもよい。また、ケース４の窓部３には、紫外線を吸収する材質からなる可視光透過性の板状部材を嵌着することにより、避雷素子１に付設されたラベル状示温材１３が外光に含まれる紫外線により劣化することを未然に防止することができる。
【００２３】
このケース４の窓部３の周縁に沿った部分は、避雷素子１の一方のリード線１ｂが接続されたリード線１１と対応させて、識別マーク１４、例えばリード線１１の被覆部分と同一の色名を表示させている。なお、他の識別マークとしては、前述した色以外にリード線１１と対応した番号を付すようにしてもよい。このようにすれば、避雷素子１とリード線１１との対応関係が容易に認知可能である。
【００２４】
このアレスタ装置１０は、図６に示すように各避雷素子１から導出されたリード線１１を火災報知器５のコントロールパネル６の端子部９に接続すると共に、配線基板２の両側の取り付け孔１２を利用して所定部位に固定すると共にアース接続する（図７参照）。
【００２５】
火災報知器５のコントロールパネル６の端子部９に接続された信号線７のいずれかに雷サージまたはスイッチングサージなどが侵入し、それによって端子部９に接続された避雷素子１のいずれかが劣化すると、素子温度が上昇してラベル状示温材１３が初期の色から他の色に変化する。この避雷素子１のラベル状示温材１３の変色は、ケース４の窓部３を通して見ることで容易に確認することが可能である。
【００２６】
なお、上述では避雷素子１を一列に配置した例について述べたが、複数列に配置してもよい。また、各避雷素子１のアース接続については、図８（ａ）に示すように簡易タイプ以外に、同図（ｂ）に示すように各避雷素子１の一方のリード線１ａを共通接続した上でギャップアレスタ１５を挿入接続した回路絶縁タイプを使用することも可能である。
【００２７】
【発明の効果】
本発明によれば、複数個の避雷素子を配線基板上に配列させて実装し、その配列方向に沿うように形成した長孔状の窓部を有するケース内に前記配線基板上の避雷素子を収容し、前記避雷素子のそれぞれの表面に素子温度表示手段を付設して前記ケースの窓部を通して目視可能としたことにより、情報処理装置における信号線の端子部に接続される形態でもって、侵入サージによる避雷素子の劣化を一括して集中監視することができ、アレスタ装置の設置スペースを縮小化することができると共に、設置作業性の向上が図れ、設置コストの低減化が図れる。
【図面の簡単な説明】
【図１】本発明に係るアレスタ装置の実施形態を示す平面図である。
【図２】図１の正面図である。
【図３】図１のＡ−Ａ線に沿う断面図である。
【図４】本発明の実施形態で、アレスタ装置の組立分解斜視図である。
【図５】図４のアレスタ装置の組立完了斜視図である。
【図６】本発明のアレスタ装置を火災報知器のコントロールパネルに接続した状態を示す回路構成図である。
【図７】本発明のアレスタ装置の設置状態を示す正面図である。
【図８】（ａ）はバリスタにギャップアレスタを設けていない簡易タイプを示す回路図、（ｂ）はバリスタにギャップアレスタを設けた回路絶縁タイプを示す回路図である。
【符号の説明】
１  避雷素子（バリスタ）
２  配線基板
３  窓部
４  ケース
５  火災報知器
６  コントロールパネル
７  信号線
９  端子部
１０  アレスタ装置
１１  リード線
１３  素子温度表示手段（ラベル状示温材）
【図１】
2004335868.tif 000003
【図２】
2004335868.tif 000004
【図３】
2004335868.tif 000005
【図４】
2004335868.tif 000006
【図５】
2004335868.tif 000007
【図６】
2004335868.tif 000008
【図７】
2004335868.tif 000009
【図８】
2004335868.tif 000010